(57)【要約】【課題】雌コネクタ及び雄コネクタ間の振動を別部品を用いることなく抑制できると共に、前記コネクタの嵌合に要する力を少なくできるコネクタを提供する。【解決手段】雌コネクタ２は、雄コネクタ３が嵌合した状態を保持するロック部材２３を備え、雄コネクタ３は、可撓性を有し雌コネクタ２を付勢するアーム部材３４を一体的に備えて、雌コネクタ２を雄コネクタ３に挿入したとき、アーム部材３４で突起３５を介して雌コネクタ２を下方に付勢する。【選択図】図３
2011233287.tif 000002
【特許請求の範囲】
【請求項１】
雄コネクタと、この雄コネクタと嵌合する雌コネクタとを有するコネクタであって、
前記雄コネクタは、可撓性を有し前記雌コネクタを付勢する可撓部材を一体的に備えたことを特徴とするコネクタ。
【請求項２】
請求項１記載のコネクタであって、
前記雌コネクタは、前記雄コネクタが嵌合した状態を保持するロック部材を備えると共に、前記可撓部材は、前記雌コネクタに当接する突起を備えて、前記雌コネクタを前記雄コネクタに挿入したとき、前記可撓部材により前記突起を介して前記雌コネクタを前記挿入方向と直交する方向に付勢することを特徴とするコネクタ。
【請求項３】
請求項１記載のコネクタであって、
前記雌コネクタは、前記雄コネクタが嵌合した状態を保持するロック部材を備えると共に、前記可撓部材は、前記雌コネクタの正面に当接する突起を備えて、前記雌コネクタを前記雄コネクタに挿入したとき、前記可撓部材により前記突起を介して前記雌コネクタを前記挿入方向と逆向きに付勢することを特徴とするコネクタ。
【発明の詳細な説明】
【技術分野】
【０００１】
本発明は、一対のコネクタ間の振動を防止することにより端子接点部の摩耗を抑制可能な防振型コネクタに関する。
【背景技術】
【０００２】
この種の従来の防振型コネクタとして、特許文献１に開示されたものが提案されている。この防振型コネクタ１００は、図１１に示すように、雄コネクタ１０１と、この雄コネクタ１０１と嵌合する雌コネクタ１０２とを備えている。雌コネクタ１０２のハウジング１０３の外周面には、断面山形をなす複数のリブ１０４が形成され、雄コネクタ１０１のハウジング１０５の内周面には、断面台形をなし、リブ１０４が嵌合する複数の嵌合溝１０６が形成されている。
【０００３】
上記構成によれば、雄コネクタ１０１を雌コネクタ１０２に挿入するとき、ハウジング１０３外周面のリブ１０４がハウジング１０５内周面の嵌合溝１０６に嵌合して、リブ１０４の両裾部と嵌合溝１０６の開口縁が互いに潰し合う状態でハウジング１０３、１０５が嵌合接続される。これにより、雄コネクタ１０１および雌コネクタ１０２間の振動を防止することができるので、これらのコネクタ１０１，１０２に設けられる端子接点部の摩耗を抑制可能である。
【０００４】
また、他の従来の防振型コネクタとして、特許文献２に開示されたものがある。この防振型コネクタ１１０は、図１２に示すように、雄コネクタ１１１と、この雄コネクタ１１１と嵌合する雌コネクタ１１２と、この雌コネクタ１１２のハウジング１１３の外周側に装着され、ハウジング１１３を雄コネクタ１１１のハウジング１１４に対して弾性的に押し付けるクリップ１１５とを備えている。
【０００５】
上記構成によれば、雄コネクタ１１１に雌コネクタ１１２を嵌合すると共に、雌コネクタ１１２のハウジング１１３の外周側にクリップ１１５を装着してハウジング１１３を雄コネクタ１１１のハウジング１１４に対して弾性的に押し付ける。これによって、一対の雄コネクタ１１１及び雌コネクタ１１２間の振動を防止することができるので、これらのコネクタ１１１，１１２に設けられる端子接点部の摩耗を抑制可能である。
【先行技術文献】
【特許文献】
【０００６】
【特許文献１】特開２００８−１６６０４６号公報
【特許文献２】特開２００９−４２９０号公報
【発明の概要】
【発明が解決しようとする課題】
【０００７】
ところで、前述した従来のコネクタ１００では、雄コネクタ１０１を雌コネクタ１０２に挿入するとき、ハウジング１０３外周面のリブ１０４がハウジング１０５内周面の嵌合溝１０６に嵌合して互いに潰し合うので、雄コネクタ１０１を雌コネクタ１０２に挿入するのに大きな挿入力が必要であるいう問題があった。
【０００８】
また、前述した従来のコネクタ１１０では、一対の雄コネクタ１１１及び雌コネクタ１１２間の振動を防止するため、別部品であるクリップ１１５を有し、部品コストや手間が増加するという問題があった。
【０００９】
本発明は、上記事情を考慮し、互いに嵌合する一対のコネクタ間の振動を、別部品を用いることなく防止することができると共に、一対のコネクタを嵌合させるのに要する挿入力を少なくできるコネクタを提供することを目的とする。
【課題を解決するための手段】
【００１０】
請求項１の発明は、雄コネクタと、この雄コネクタと嵌合する雌コネクタとを有するコネクタであって、前記雄コネクタは、可撓性を有し前記雌コネクタを付勢する可撓部材を一体的に備えたことを特徴とする。
【００１１】
請求項２は、請求項１記載のコネクタであって、前記雌コネクタは、前記雄コネクタが嵌合した状態を保持するロック部材を備えると共に、前記可撓部材は、前記雌コネクタに当接する突起を備えて、前記雌コネクタを前記雄コネクタに挿入したとき、前記可撓部材により前記突起を介して前記雌コネクタを前記挿入方向と直交する方向に付勢することを特徴とする。
【００１２】
請求項３は、請求項１記載のコネクタであって、前記雌コネクタは、前記雄コネクタが嵌合した状態を保持するロック部材を備えると共に、前記可撓部材は、前記雌コネクタの正面に当接する突起を備えて、前記雌コネクタを前記雄コネクタに挿入したとき、前記可撓部材により前記突起を介して前記雌コネクタを前記挿入方向と逆向きに付勢することを特徴とする。
【発明の効果】
【００１３】
請求項１の発明によれば、雌コネクタ及び雄コネクタを互いに嵌合したとき、雄コネクタと一体的に備えられる可撓部材が撓みつつ反発力で雌コネクタを付勢するので、雌コネクタ及び雄コネクタ間の振動を吸収できる。これにより、雌コネクタ及び雄コネクタ間の振動を抑制するために、別部品を用いる必要がない。また、上記のように雌コネクタ及び雄コネクタの嵌合時に可撓部材の反発力により雌コネクタを付勢するようにしたので、従来のように雄コネクタ外周面のリブが雌コネクタ内周面の嵌合溝に嵌合して互いに潰し合う場合と比べて、雌コネクタに雄コネクタを嵌合する際の挿入力を少なくすることができる。
【００１４】
請求項２の発明によれば、雌コネクタ及び雄コネクタが嵌合した状態をロック部材が保持すると共に、雄コネクタに備えられる可撓部材の突起が雌コネクタの正面に当接し、可撓部材が撓んで雌コネクタを挿入方向と直交する方向に付勢するので、ロック部材及び可撓部材により雌コネクタ及び雄コネクタ間の振動をより確実に抑制することができる。
【００１５】
請求項３の発明によれば、雌コネクタ及び雄コネクタが嵌合した状態をロック部材が保持すると共に、雄コネクタに備えられる可撓部材の突起が雌コネクタに当接し、可撓部材が撓んで反発力で雌コネクタを挿入方向と逆向きに付勢するので、ロック部材及び可撓部材により雌コネクタ及び雄コネクタ間の振動をより確実に抑制することができる。
【図面の簡単な説明】
【００１６】
【図１】本発明の第１実施形態を示し、コネクタを示す平面図である。
【図２】本発明の第１実施形態を示し、図１のII−II線に沿う断面図である。
【図３】本発明の第１実施形態を示し、図１のIII−III線に沿う断面図である。
【図４】本発明の第１実施形態を示し、雄コネクタの斜視図である。
【図５】本発明の第１実施形態を示し、雄コネクタの断面図である。
【図６】本発明の第１実施形態を示し、雌コネクタの斜視図である。
【図７】本発明の第２実施形態を示し、コネクタを示す断面図である。
【図８】本発明の第２実施形態を示し、雄コネクタの斜視図である。
【図９】本発明の第２実施形態を示し、雄コネクタの断面図である。
【図１０】本発明の第２実施形態を示し、雄コネクタの正面図である。
【図１１】従来のコネクタを示す断面図である。
【図１２】従来の他のコネクタを示す分解斜視図である。
【発明を実施するための形態】
【００１７】
以下、本発明の実施形態を図面を参照して説明する。
【００１８】
＜第１実施形態＞
図１〜図６は本発明の第１実施形態を示し、図１はコネクタを示す平面図、図２は図１のII−II線に沿う断面図、図３は図１のIII−III線に沿う断面図、図４は雄コネクタの斜視図、図５は雄コネクタの断面図、図６は雌コネクタの斜視図である。
【００１９】
本実施形態のコネクタ１は、雌コネクタ２と、箱形状を有し、この雌コネクタ２に嵌合される雄コネクタ３とから主として構成されている。
【００２０】
雌コネクタ２は、合成樹脂からなる雌ハウジング２０を有している。この雌ハウジング２０は、雌コネクタ２の挿入方向に延設され、複数の雌型端子金具をそれぞれ収容する端子収容室２１を内蔵し、雌ハウジング２０の正面２０ａ側に、後述する雄型端子３２が挿入される端子挿入口２２が形成されている。端子収容室２１は、雌ハウジング２０の幅方向に並設されると共に、雌ハウジング２０の高さ方向へ２段に積層されている。
【００２１】
雌ハウジング２０は、正面２０ａの上部から突出して、雌ハウジング２０の幅方向の中心線に沿って延設されるロック部材２３を備えている。このロック部材２３は、上方へ突出する爪部２４を備えると共に、可撓性を有している。爪部２４の前端２４ａ側（図３の左側）は、ロック部材２３の延設方向に対してほぼ直角に形成され、爪部２４の後端２４ｂ側（図３の右側）は山型の裾野状に傾斜している。
【００２２】
雄コネクタ３は、合成樹脂材からなり、箱状に形成されて正面３０ａ側に開口する雄ハウジング３０を有している。この雄ハウジング３０は、上側内周面にロック部材２３の爪部２４が係止される係止溝３１が形成されると共に、雄ハウジング３０の背面３０ｂより雄型端子３２の一端側が外部へ突出し、雄型端子３２の他端側が雌ハウジング２０の端子挿入口２２を介して端子収容室２１に挿入されている。
【００２３】
また、雄ハウジング３０の上面に、コの字状の切込み３３を設けることによって、可撓性を有し、雌ハウジング２０を付勢する左右一対の可撓部材、例えばアーム部材３４が一体的に形成されている。このアーム部材３４は、それぞれ雄ハウジング３０の幅方向の中心線に沿って背面３０ｂの方向へ延設されると共に、アーム部材３４の可動端は、背面３０ｂの上部近傍に配置され、雌ハウジング２０上面に当接する突起３５を有している。なお、左右一対のアーム部材３４は、雄ハウジング３０の幅方向の中心線より左右両側へ所定距離、ずれた位置にそれぞれ設けられている。
【００２４】
上記構成において、雌コネクタ２及び雄コネクタ３を嵌合する際に、雌ハウジング２０内に端子挿入口２２を介して相手側の雄型端子３２が挿入されるので、この雄型端子３２を介して雌コネクタ２及び雄コネクタ３間で電気的接続が行なわれる。また、雌コネクタ２及び雄コネクタ３を挿入端部の近傍まで嵌合したとき、雌ハウジング２０から突出するロック部材２３の爪部２４が雄ハウジング３０の係止溝３１に係止される。このとき、爪部２４の後端２４ｂ側は山型の裾野状に傾斜しているので、係止溝３１の縁部が爪部２４の後端側に摺接しながら爪部２４を下方へ付勢するので、ロック部材２３が下方へ撓む。
【００２５】
次いで、図１〜図３に示すように、雌コネクタ２及び雄コネクタ３を挿入端部まで嵌合したとき、係止溝３１に爪部２４が収容されると共に、爪部２４の前端２４ａ側がロック部材２３の延設方向に対してほぼ直角に形成されているので、爪部２４の前端２４ａが係止溝３１の端部に突き当たる。これにより、ロック部材２３で雄コネクタ３の嵌合方向と逆向きへの移動が阻止されるので、雌コネクタ２に雄コネクタ３が嵌合した状態が保持される。同時に、雄ハウジング３０のアーム部材３４の突起３５が雌ハウジング２０上面に当接し、アーム部材２５が撓みつつ反発力で雌コネクタ２を下方に付勢することによって、雌コネクタ２及び雄コネクタ３間の振動を抑制する。
【００２６】
以上のように、本実施形態のコネクタ１によれば、雄コネクタ３と一体的に形成されるアーム部材３４の突起３５が雌コネクタ２に当接し、アーム部材３４の反発力により雌コネクタ２を下方に付勢すると共に、ロック部材２３により雌コネクタ２及び雄コネクタ３が嵌合した状態を保持するので、これら雌コネクタ２及び雄コネクタ３間の振動を確実に抑制することができ、雄型端子３２などの微動擦動磨耗による抵抗上昇を防ぐことができる。
【００２７】
また、上記構成によれば、雄コネクタ３の雄ハウジング３０にアーム部材３４を一体的に設けたので、従来のように別部品を用いる必要がなくて済み、部品コストや組立時の手間を少なくすることができる。
【００２８】
また、上記構成によれば、可撓性を有するアーム部材３４の反発力で雌コネクタ２を下方に付勢することにより、雌コネクタ２及び雄コネクタ３間の振動を抑制するようにしたので、従来のように雄コネクタ外周面のリブが雌コネクタ内周面に嵌合して互いに潰し合う場合と比べて、雌コネクタ２及び雄コネクタ３を嵌合させるのに要する挿入力を少なくできると共に、雌コネクタ２及び雄コネクタ３の再嵌合を数回繰り返して行なうことも可能である。
【００２９】
＜第２実施形態＞
図７〜図１０は本発明の第２実施形態を示し、図７はコネクタを示す断面図、図８は雄コネクタの斜視図、図９は雄コネクタの断面図、図１０は雄コネクタの正面図である。なお、図７〜図１０において前述した図１〜図６に示すものと同等のものには同一符号を付してある。
【００３０】
本実施形態のコネクタ１Ａは、雌コネクタ２と、箱形状を有し、この雌コネクタ２に嵌合される雄コネクタ３Ａとから主として構成されている。なお、上記第１実施形態と構成が大きく異なるのは雄コネクタ３Ａであり、雌コネクタ２は上記実施形態と同様である。
【００３１】
雄コネクタ３Ａは、合成樹脂からなり、箱状に形成されて正面３０ａ側に開口する雄ハウジング３０Ａを有している。この雄ハウジング３０Ａは、上側内周面にロック部材２３の爪部２４が係止される係止溝３１が形成されると共に、雄ハウジング３０Ａの背面３０ｂより雄型端子３２の一端側が外部へ突出し、雄型端子３２の他端側が雌ハウジング２０の端子挿入口２２を介して端子収容室２１に挿入されている。
【００３２】
また、雄ハウジング３０Ａの背面３０ｂに、上下方向に延びる一対のスリット３６を設けることによって、可撓性を有し雌ハウジング２０を付勢する左右一対の可撓部材、例えば可撓壁部３７が一体的に形成されている。この可撓壁部３７の上端および下端は、それぞれ雄ハウジング３０Ａと連続すると共に、可撓壁部３７の上下方向の中間部に、所定間隔を置いて平行に配置され、図１０の左右方向に延設される２つの突起３８が設けられている。これら突起３８は、断面が三角柱状に形成され、該断面の１つの頂角の部分が雌ハウジング２０の正面２０ａにそれぞれ当接している。
【００３３】
上記構成において、雌コネクタ２及び雄コネクタ３Ａを嵌合する際に、雌ハウジング２０内に端子挿入口２２を介して相手側の雄型端子３２が挿入されるので、この雄型端子３２を介して雌コネクタ２及び雄コネクタ３Ａ間で電気的接続が行なわれる。また、雌コネクタ２及び雄コネクタ３Ａを挿入端部の近傍まで嵌合したとき、雌ハウジング２０から突出するロック部材２３の爪部２４が雄ハウジング３０Ａの係止溝３１に係止される。このとき、爪部２４の後端２４ｂ側は山型の裾野状に傾斜しているので、係止溝３１の縁部が爪部２４の後端側に摺接しながら爪部２４を下方へ付勢するので、ロック部材２３が下方へ撓む。
【００３４】
次いで、図７に示すように、雌コネクタ２及び雄コネクタ３Ａを挿入端部まで嵌合したとき、係止溝３１に爪部２４が収容されると共に、爪部２４の前端２４ａ側がロック部材２３の延設方向に対してほぼ直角に形成されているので、爪部２４の前端２４ａが係止溝３１の端部に突き当たる。これにより、雄コネクタ３Ａの嵌合方向と逆向きへの移動が阻止されるので、雌コネクタ２及び雄コネクタ３Ａが嵌合した状態が保持される。同時に、雄ハウジング３０Ａの背面３０ｂの突起３８が雌ハウジング２０の正面２０ａに当接し、可撓壁部３７の上下方向の中間部が撓みつつ反発力で雌コネクタ２を挿入方向と逆向きに付勢することによって、雌コネクタ２及び雄コネクタ３Ａ間の振動を抑制する。
【００３５】
以上のように、本実施形態のコネクタ１によれば、雄コネクタ３Ａに設けられる可撓壁部３７の突起３８が雌コネクタ２に当接し、可撓壁部３７の反発力により雌コネクタ２を挿入方向と逆向きに付勢すると共に、ロック部材２３により雌コネクタ２が嵌合した状態を保持するので、互いに嵌合する雌コネクタ２及び雄コネクタ３Ａ間の振動を確実に抑制することができ、雄型端子３２などの微動擦動磨耗による抵抗上昇を防ぐことができる。
【００３６】
また、上記構成によれば、雄コネクタ３Ａの雄ハウジング３０Ａに可撓壁部３７を一体的に設けたので、従来のように別部品を用いる必要がなくて済み、部品コストや組立時の手間を少なくすることができる。
【００３７】
また、上記構成によれば、可撓壁部３７の反発力で雌コネクタ２を挿入方向と逆向きに付勢することにより、雌コネクタ２及び雄コネクタ３Ａ間の振動を抑制するようにしたので、従来のように雄コネクタ外周面のリブが雌コネクタ内周面に嵌合して互いに潰し合う場合と比べて、雌コネクタ２及び雄コネクタ３Ａを嵌合させるのに要する挿入力を少なくできると共に、雌コネクタ２及び雄コネクタ３Ａの再嵌合を数回繰り返り返して行なうことも可能である。
【符号の説明】
【００３８】
１、１Ａ  コネクタ
２  雌コネクタ
３、３Ａ  雄コネクタ
２０ａ  正面
２３  ロック部材
３４  可撓部材（アーム部材）
３５  突起
３７  可撓部材（可撓壁部）
３８  突起
【図１】
2011233287.tif 000003
【図２】
2011233287.tif 000004
【図３】
2011233287.tif 000005
【図４】
2011233287.tif 000006
【図５】
2011233287.tif 000007
【図６】
2011233287.tif 000008
【図７】
2011233287.tif 000009
【図８】
2011233287.tif 000010
【図９】
2011233287.tif 000011
【図１０】
2011233287.tif 000012
【図１１】
2011233287.tif 000013
【図１２】
2011233287.tif 000014